(57)【要約】      （修正有）【課題】家庭用および旅行用に適した持ち運び式キッチンコンロを提供する。【解決手段】トッププレート１０上には円形のバーナー開口部が設けられており、バーナー開口部の最下部にはバーナーが取り付けられており、バーナー上には順に煙突型の防熱装置２２と平底鍋用五徳２３が設ける。バーナーの開口部周りには当て板リング３０が溶接されており、当て板リング上には円形蓋が遊嵌されている。該トッププレートの後部および左・右の縁部は外側から内側へ順にまわり縁が固定連結、パーテーション５０が可動連結されており、トッププレート上のバーナー開口部の手前側には溝６０が１本設けられており、溝の末端部にはセパレータが設けられており、溝とトッププレートの手前側の縁部には平面台８０を設ける。又、トッププレートの下部には、フレームに嵌合する取り外し可能なキャスター受け座が設けられており、トッププレートの片側には持ち手が備えられている。【選択図】図１
0003163186.tif 000002
【実用新案登録請求の範囲】
【請求項１】
その構造にトッププレート（１０）およびフレーム（９０）が含まれ、トッププレート（１０）上には円形のバーナー開口部（２１）が設けられており、バーナー開口部（２１）の最下部にはバーナー（２０）が取り付けられており、バーナー（２０）上には順に煙突型の防熱装置（２２）と平底鍋用五徳（２３）が設けられており、バーナーの開口部（２１）周りには当て板リング（３０）が溶接されており、当て板リング（３０）の上には円形蓋（３１）が遊嵌されており、トッププレート（１０）の後部および左・右の縁部は外側から内側へ順にまわり縁（４０）が固定連結、パーテーション（５０）が可動連結されており、トッププレート（１０）上のバーナー開口部（２１）の手前側には溝（６０）が１本設けられており、溝（６０）の末端部にはセパレータが設けられており、溝（６０）とトッププレート（１０）の手前側の縁部には平面台（８０）が１つあり、トッププレート（１０）の下部には、フレーム（９０）に嵌合する取り外し可能なキャスター受け座（１６０）が設けられており、トッププレート（１０）の片側には持ち手（１１０）が備えられていることを特徴とする清掃容易な持ち運び式キッチンコンロ。
【請求項２】
前記のバーナー（２０）上に取り付けられた煙突型の防熱装置（２２）は、バーナーの開口部（２１）の口径より小さく、底部はバーナー（２２）と平行に並んでおり、頭頂部の８割は凹凸型に、また残りの２割は密封式に設計されており、頭頂部の高さは当て板リング（３０）と等しいが、凹凸部分の高さは当て板リング（３０）より高く設計されている
ことを特徴とする、請求項１に記載の清掃容易な持ち運び式キッチンコンロ。
【請求項３】
平底鍋用五徳は２つのリング（２３）から成る平面構造で、大リング（２３１）１つと小リング（２３２）１つが連結されていることを特徴とする、請求項１に記載の清掃容易な持ち運び式キッチンコンロ。
【請求項４】
前記当て板リング（３０）の上は円形蓋（３１）が遊嵌されており、円形蓋（３１）はバーナー開口部（２１）と嵌合するようになっていることを特徴とする、請求項１に記載の清掃容易な持ち運び式キッチンコンロ。
【請求項５】
前記パーテーション（５０）は、左・右パーテーション（５１）および後部パーテーション（５２）、Ｌ型鋼材（５４）２つから構成されており、左・右パーテーション（５１）は蝶番で後部パーテーション（５２）の左右両側に連結されており、左・右パーテーション（５１）は内側に折り畳んで、後部パーテーション（５２）に重ね合わせることができ、後部パーテーション（５２）の底部は、蝶番で後部のまわり縁（４０）に固定することができ、後部パーテーション（５２）は手前側に向けて折り畳め、左・右パーテーション（５１）と重ね合わせて、トッププレート（１０）上に載せることができ、後部パーテーション（５２）の両側にはＬ型鋼材（５４）が１個ずつ備えられており、後部パーテーション（５２）とＬ型鋼材（５４）は一体化構造となっているか、あるいは溶接されており、前記の後部パーテーション（５２）には延長鋼板（５３）が可動接合されており、延長鋼板（５３）の左右両側には、後部パーテーション（５２）上に設けられた留め具（５２１）に嵌合する止め栓（５２２）が固設されており、延長鋼板（５３）はさらに留め具（５２１）で後部まわり縁（４０）下部の掛け具（１４０）に掛けることができることを特徴とする、請求項１に記載の清掃容易な持ち運び式キッチンコンロ。
【請求項６】
前記のセパレータは、取り外し式ゴミキャッチャー（７２）と汚水処理システム（７１）に分かれており、取り外し式ゴミキャッチャー（７２）は多数の微小孔を有する箱であり、上部がすべて開放されており、汚水処理システム（７１）は長方形の箱で、溝（６０）の末端部に連結されており、底部には円形の開口部が１つ備えられステンレス製の円形鋼管（７３）に連結されており、円形鋼管（７３）上には水道管に螺合できるねじ山が備えられ、溝（６０）と汚水処理システム（７１）が一体化しており、前記溝（６０）はトッププレート（１０）より低くなっていることを特徴とする、請求項１に記載の清掃容易な持ち運び式キッチンコンロ。
【請求項７】
前記平面台（８０）はトッププレート（１０）の長さに等しく、トッププレート（１０）より高くなっていることを特徴とする、請求項１に記載の清掃容易な持ち運び式キッチンコンロ。
【請求項８】
前記トッププレート（１０）下部には、フレーム（９０）に取り外し可能に取り付けられたストッカー（１２０）があり、中央部には横板（１３０）が設けられており、横板（１３０）の上には清掃容易なキッチンコンロ全体を折り畳んだ後にストッカー（１２０）を押さえる押さえ具（１３１）が固設されており、押さえ具（１３１）の反対側には、清掃容易なキッチンコンロ全体を折り畳んだ後にストッカー（１２０）を横板（１３０）上に固定させるストッカー固定具（１２１）が設けられており、トッププレート（１０）下部には、取り外した後のフレーム（９０）を固定するフレーム固定具が設けられていることを特徴とする、請求項１に記載の清掃容易な持ち運び式キッチンコンロ。
【請求項９】
清掃容易なキッチンコンロ全体を折り畳んだ後は、前記の持ち手（１１０）の反対側にあるキャスター受け座（１６０）にキャスターキット（１００）を差し込むことができ、キャスターキット（１００）には、キャスター（１０１）およびキャスター軸（１０２）が含まれ、キャスター（１０１）上には輪軸（１０５）が設けられており、輪軸（１０５）はキャスター軸（１０２）の一端の軸孔に差し込まれナット（１０４）で固定されており、キャスター軸（１０２）の反対側の一端には、キャスター受け座（１６０）と嵌合するキャスター軸差し込み部（１０３）が設けられていることを特徴とする、請求項１に記載の清掃容易な持ち運び式キッチンコンロ。
【請求項１０】
前記の汚水処理システム（７１）内に流れ込む汚水は、独立型汚水処理システム（１５０）内に流れ込んだ後に処理され、独立型汚水処理システム（１５０）には、上方に開口部を備えたボックス体（１５３）が含まれ、ボックス体（１５３）の壁には、内歯と外歯の継ぎ目（１５１、１５２）に整合する大きさのボックス孔（１５４）が設けられており、水道管をつなぐ内歯継ぎ目（１５１）と外歯（１５２）がボックス孔（１５４）の個所でかみ合うようになっており、ボックス内の水道管はボックス底まで一定の距離があり、ボックス外の水道管の頭頂部には通気孔（１５５）が設けられていることを特徴とする、請求項１に記載の清掃容易な持ち運び式キッチンコンロ。
【考案の詳細な説明】
【技術分野】
【０００１】
本考案は、家庭用および旅行用に適した持ち運び式キッチンコンロに関するものである。
【背景技術】
【０００２】
現在、日常生活で用いられている調理用のキッチンコンロは、清掃に労を要しかつ持ち運びに不便であった。加えて外出先や旅行先に適したキッチンコンロがなかったため、清掃が容易でかつ持ち運びに便利なキッチンコンロを使用したいという要望があった。
【考案の開示】
【考案が解決しようとする課題】
【０００３】
本考案で解決しようとする技術的課題は、上記にある既存技術の不備を解決し、清掃容易な持ち運び式キッチンコンロを提供するものである。
【課題を解決するための手段】
【０００４】
上記の技術的課題を解決するため、本考案では以下の技術案を採用した。
本考案の持ち運び式キッチンコンロは、その構造にトッププレートとフレームが含まれ、トッププレート上には円形のバーナー開口部が設けられており、バーナー開口部の最下部にはバーナーが取り付けられており、バーナー上には順に煙突型の防熱装置と平底鍋用五徳が設けられており、バーナーの開口部周りには当て板リングが溶接されており、当て板リングの上には円形蓋が遊嵌されており、トッププレートの後部および左・右の縁部は外側から内側へ順にまわり縁が固定連結、パーテーションが可動連結されており、トッププレート上のバーナー開口部の手前側には溝が１本設けられており、溝の末端部にはセパレータが設けられており、溝とトッププレートの手前側の縁部には平面台が１つあり、トッププレートの下部には、フレームに嵌合する取り外し可能なキャスター受け座が設けられており、トッププレートの片側には持ち手が備えられている。
【０００５】
前記のバーナー上に取り付けられた煙突型の防熱装置は、バーナーの開口部の口径より小さく、底部はバーナーと平行に並んでおり、頭頂部の８割は凹凸型に、また残りの２割は密封式に設計されており、頭頂部の高さは当て板リングと等しいが、凹凸部分の高さは当て板リングより高く設計されている。
【０００６】
平底鍋用五徳は２つのリングから成る平面構造で、大リング１つと小リング１つが連結されている。
【０００７】
前記当て板リング上には円形蓋が遊嵌されており、円形蓋はバーナー開口部と嵌合するようになっている。
【０００８】
前記パーテーションは、左・右パーテーションおよび後部パーテーション、Ｌ型鋼材２つから構成されており、左・右パーテーションは蝶番で後部パーテーションの左右両側に連結されており、左・右パーテーションは内側に折り畳んで、後部パーテーションに重ね合わせることができ、後部パーテーションの底部は、蝶番で後部のまわり縁に固定することができ、後部パーテーションは手前側に向けて折り畳め、左・右パーテーションと重ね合わせて、トッププレート上に載せることができる。後部パーテーションの両側にはＬ型鋼材が１個ずつ備えられており、後部パーテーションとＬ型鋼材は一体化構造となっているか、あるいは溶接されている。前記の後部パーテーションには延長鋼板が可動接合されており、延長鋼板の左右両側には、後部パーテーション上に設けられた留め具に嵌合する止め栓が固設されている。延長鋼板は、さらに留め具で後部まわり縁下部の掛け具に掛けることができる。
【０００９】
前記のセパレータは、取り外し式ゴミキャッチャーと汚水処理システムに分かれており、取り外し式ゴミキャッチャーは多数の微小孔を有する箱であり、上部がすべて開放されており、汚水処理システムは長方形の箱で、溝の末端部に連結されており、底部には円形の開口部が１つ備えられ、ステンレス製の円形鋼管に連結されており、円形鋼管上には水道管に螺合できるねじ山が備えられ、溝と汚水処理システムが一体化されており、前記溝はトッププレートより低くなっている。
【００１０】
前記平面台はトッププレートの長さに等しく、トッププレートより高くなっている。
【００１１】
前記トッププレート下部には、フレームに取り外し可能に取り付けられたストッカーがあり、中央部には横板が設けられており、横板の上にはコンロ全体を折り畳んだ後にストッカーを押さえる押さえ具が固設されており、中央部には横板（１３０）が設けられており、押さえ具の反対側には、コンロ全体を折り畳んだ後にストッカーを横板上に固定させるストッカー固定具が設けられており、トッププレート下部には、取り外した後のフレームを固定するフレーム固定具が設けられている。
【００１２】
キッチンコンロ全体を折り畳んだ後は、前記の持ち手の反対側にあるキャスター受け座にキャスターキットを差し込むことができ、キャスターキットには、キャスターおよびキャスター軸が含まれ、キャスター上には輪軸が設けられており、輪軸はキャスター軸の一端の軸孔に差し込まれナットで固定されており、キャスター軸の反対側の一端には、キャスター受け座と嵌合するキャスター軸差し込み部が設けられている。
【００１３】
前記の汚水処理システム内に流れ込む汚水は、独立型汚水処理システム内に流れ込んだ後に処理される。独立型汚水処理システムには、上方に開口部を備えたボックス体が１つ含まれ、ボックス体の壁には、内歯と外歯の継ぎ目に整合する大きさのボックス孔が設けられており、水道管をつなぐ内歯継ぎ目と外歯継ぎ目がボックス孔の個所でかみ合うようになっている。
【考案の効果】
【００１４】
本考案の持ち運び式キッチンコンロの効果として、構造が簡便で、折り畳みおよび持ち運びが可能であり、衛生的であること、また迅速な組み立てが可能で、かつ家庭内における調理にも旅行先や外出先における調理にも適している点が挙げられる。
【考案を実施するための最良の形態】
【００１５】
図１から図６を参照して、本考案の実施例を次のとおり述べる。
本考案の持ち運び式キッチンコンロには、その構造にトッププレート（１０）およびフレーム（９０）が含まれ、トッププレート（１０）上には円形のバーナー開口部（２１）が設けられており、バーナー開口部（２１）の最下部にはバーナー（２０）が取り付けられており、バーナー（２０）上には順に煙突型の防熱装置（２２）と平底鍋用五徳（２３）が設けられており、バーナーの開口部（２１）周りには当て板リング（３０）が溶接されており、当て板リング（３０）の上には円形蓋（３１）が遊嵌されており、トッププレート（１０）の後部および左・右の縁部は外側から内側へ順にまわり縁（４０）が固定連結、パーテーション（４０）が可動連結されており、トッププレート（１０）上のバーナー開口部（２１）の手前側には溝（６０）が１本設けられており、溝（６０）の末端部にはセパレータが設けられており、溝（６０）とトッププレート（１０）の手前側の縁部には平面台（８０）が１つあり、トッププレート（１０）の下部には、取り外すことができ、かつ回転させて折り畳むことが可能なフレーム（９０）が取り付けられている。また、トッププレート（１０）の下部には、フレーム（９０）に嵌合する取り外し可能なキャスター受け座（６０）が設けられており、トッププレート（１０）の片側には持ち手（１１０）が備えられている。
【００１６】
本考案の持ち運び式キッチンコンロは、バーナー（２０）部分が２個口設計となっており、
７５０００ＢＴＵまでのプロパンガスの使用が可能である。
【００１７】
本考案の持ち運び式キッチンコンロは、バーナー（２０）上に取り付けられた煙突型の防熱装置（２２）が、バーナーの開口部（２１）の口径より小さく、底部はバーナー（２０）と平行に並んでおり、頭頂部の８割は凹凸型に、また残りの２割は密封式に設計されており、この２割の密封式設計とは、調理時の炎が調理をする人に向かうのを防止するものである。頭頂部の高さは当て板リング（３０）と等しいが、凹凸部分の高さは当て板リング（３０）より高く設計されている。凹凸部分は１インチの正方形で設計されているが、これは調理時の炎が凹部から吹き出せるようになっているためである。また、防熱装置（２２）の底部が開放式になっていることで、空気が対流現象を起こし、凹凸部分の高さを当て板リング（３０）より高く設計することで、トッププレート（１０）が熱で変形するのを防止する働きを持たせている。
【００１８】
バーナー（２０）の防熱装置（２２）は、丸底鍋の使用にのみ適しているため、本考案の持ち運び式キッチンコンロでは、バーナー（２０）上の防熱装置（２２）の上に平底鍋用五徳（２３）を設けている。平底鍋用五徳（２３）は２つのリングから成る平面構造で、大リング（２３１）１つと小リング（２３２）１つが連結されている。
【００１９】
バーナー開口部（２１）周りに溶接された当て板リング（３０）には、調理時に水がバーナー（２０）に流れ込むのを防止する働きがある。当て板リング（３０）の上は円形蓋（３１）が遊嵌されており、円形蓋（３１）はバーナー開口部（２１）と嵌合するようになっている。これには、トッププレート（１０）を洗浄する際、ステンレス製の円形蓋（３１）をバーナーの開口部（２１）上に被せることで、バーナー（２０）を浸水や雨水から守る働きを持たせている。
【００２０】
トッププレート（１０）の後部、左・右縁部には、まわり縁（４０）が固定連結されており、汚水が外部へ溢れるのを防止できるようになっている。
【００２１】
本考案の持ち運び式キッチンコンロは、パーテーション（５０）が、左・右パーテーション（５１）および後部パーテーション（５２）、Ｌ型鋼材（５４）２つから構成されており、左・右パーテーション（５１）は蝶番で後部パーテーション（５２）の左右両側に連結されており、左・右パーテーション（５１）は内側に折り畳んで、後部パーテーション（５２）に重ね合わせることができ、後部パーテーション（５２）の底部は、蝶番で後部のまわり縁（４０）に固定することができ、後部パーテーション（５２）は手前側に向けて折り畳め、左・右パーテーション（５１）と重ね合わせて、トッププレート（１０）上に載せることができるようになっているため、持ち運びに便利で、かつ外部からの影響でキッチンコンロが損傷しにくい設計になっている。後部パーテーション（５２）の左右両側にはＬ型鋼材（５４）が１個ずつ備えられており、水が左・右パーテーション（５２）と後部パーテーションを連結する蝶番を通してトッププレート（１０）上に流れ込むのを防止するようになっている。さらに３枚のパーテーション（５０）を折り畳んでトッププレート（１０）上に載せる際、Ｌ型鋼材（５４）があることで、パーテーション（５０）が変形しにくいようになっており、後部パーテーション（５２）とＬ型鋼材（５４）は一体構造となっているか、あるいは溶接されている。パーテーション（５０）の作用として次の点が挙げられる。
（一）外部からの気流で調理が影響を受けるのを防止する。
（二）調理時に強火で炒めたソースや食材が鍋の外へ飛び跳ねたとしても、パーテーション（５０）とトッププレート（１０）の内側のみに収めることができる。
（三）調理後に水道管から直接水を噴射して洗浄でき、またパーテーション（５０）があるため、汚水をトッププレート（１０）に戻してから溝（６０）に流し込むことができる。
（四）調理時の高温が外部へ伝わるのを遮断し、危険の発生を防止できる。
前記の後部パーテーション（５２）には延長鋼板（５３）が可動接合されており、延長鋼板（５３）の左右両側には、後部パーテーション（５２）上に設けられた留め具（５２１）に嵌合する止め栓（５２２）が固設されており、外観上の作用効果と防雨効果を得ることができるようになっている。延長鋼板（５３）はさらに、留め具（５２１）で後部まわり縁（４０）下部の掛け具（１４０）に掛けることができる。
【００２２】
溝（６０）の末端部にあるセパレータは、取り外し式ゴミキャッチャー（７２）と汚水処理システム（７１）に分かれており、取り外し式ゴミキャッチャー（７２）は多数の微小孔を有する箱であり、上部がすべて開放されており、ゴミが汚水と共に取り外し式ゴミキャッチャーを通過する際、汚水のみが微小孔を通して流れ出て、ゴミはキャッチャー内に残留するようになっているため、毎回の調理および洗浄後に、取り外し式ゴミキャッチャーを取り出してゴミを捨てるだけでよい仕組みになっている。汚水処理システム（７１）は長方形の箱で、溝（６０）の末端部に連結されており、底部には円形の開口部が１つ備えられステンレス製の円形鋼管（７３）に連結されており、円形鋼管（７３）上には水道管に螺合できるねじ山が備えられている。前記円形鋼管（７３）には汚水を排出する働きがあり、溝（６０）と汚水処理システム（７１）は一体型となっており、汚水は最終的にすべて円形鋼管（７３）から排出される仕組みになっている。
【００２３】
溝（６０）はトッププレート（１０）より低く、適度な幅を有しており、調理時に発生する汚水が雑物や米粒と共に溝に流れ込んだ後、処理される働きがある。
【００２４】
本考案の持ち運び式キッチンコンロは、平面台（８０）がトッププレート（１０）の長さに等しく、トッププレート（１０）より高くなっているが、これは、トッププレート（１０）上に流す水流が強い場合に、水が溝（６０）から地面に溢れ出るのを防止する働きを持たせているためである。また、調理をする人が調理時に用具や手拭きを平面台（８０）に置くことができ、トッププレート（１０）の汚水や雑物により用具が汚れないようにもなっている。
【００２５】
前記トッププレート（１０）下部には、フレーム（９０）に取り外し可能に取り付けられたストッカー（１２０）があり、調理用具やその他の雑貨類を置くことができる。中央部には横板（１３０）が設けられており、横板（１３０）の上には清掃容易なキッチンコンロ全体を折り畳んだ後にストッカー（１２０）を押さえる押さえ具（１３１）が固設されており、押さえ具（１３１）の反対側には、清掃容易なキッチンコンロ全体を折り畳んだ後にストッカー（１２０）を横板（１３０）上に固定させるストッカー固定具（１２１）が設けられている。このストッカー固定具（１２１）は種々の固定具を採用することができるが、本考案では回転式の留め具を採用している。トッププレート（１０）下部には、取り外した後のフレーム（９０）を固定するフレーム固定具が設けられている。ストッカーとフレームを取り外した後にトッププレート底部に固定することで、容積が縮小でき持ち運びが便利になる。
【００２６】
清掃容易なキッチンコンロ全体を折り畳んだ後は、前記の持ち手（１１０）の反対側にあるキャスター受け座（１６０）にキャスターキット（１００）を差し込むことができ、持ち手が付いているため持ち運びに便利である。キャスターキット（１００）には、キャスター（１０１）およびキャスター軸（１０２）が含まれ、キャスター（１０１）上には輪軸（１０５）が設けられており、輪軸（１０５）はキャスター軸（１０２）の一端の軸孔に差し込まれナット（１０４）で固定されており、キャスター軸（１０２）の反対側の一端には、キャスター受け座（１６０）と嵌合するキャスター軸差し込み部（１０３）が設けられている。
【００２７】
前記の汚水処理システム（７１）内に流れ込む汚水は、独立型汚水処理システム（１５０）内に流れ込んだ後に処理される。独立型汚水処理システム（１５０）には、上方に開口部を備えたボックス体（１５３）が含まれ、ボックス体（１５３）の壁には、内歯と外歯の継ぎ目（１５１、１５２）に整合する大きさのボックス孔（１５４）が設けられており、水道管をつなぐ内歯継ぎ目（１５１）と外歯継ぎ目（１５２）がボックス孔（１５４）の個所でかみ合うようになっている。ボックス内の水道管はボックス底部まで一定の距離があり、ボックス外の水道管の頭頂部には通気孔（１５５）が設けられている。独立型汚水処理システム（１５０）は主に、汚水がシステム内に流れ込んだ後、水と油の特性を利用して、水道管でシステム底部から汚水を抜き出してから汚油を取り除くようになっている。ボックス内に水がある場合、ボックス内の水道管は外の水道管にある通気孔が排気するため自動で貯水され、ボックス内の水と油の高さが水道管の低位あるいは中位に達すると、ボックス内の水は外管を通じて自動で排水され、ボックス外の水道管の水位がボックス体を下回るようになっている。
【００２８】
以上、本考案の持ち運び式キッチンコンロにおける好適な実施例について具体的に述べたが、上述の実施例は、本考案の範囲に何ら制限を加えるものではない。本考案の技術に基づいて、上記の実施例に対し為される種々の変更あるいは相当性のある改良は、いずれも本考案の技術的範疇に含まれるものとする。
【図面の簡単な説明】
【００２９】
次に、図面を参照して本考案の実施形態について詳細に説明を行う。
【図１】本考案の全体構造の概略図である。
【図２】本考案の俯瞰図である。
【図３】本考案の延長鋼板と円形蓋の概略図である。
【図４】本考案の後部の概略図である。
【図５】本考案のパーテーション部分の拡大図である。
【図６】本考案を折り畳んだ状態の概略図である。
【図７】本考案を折り畳んで裏返した状態の概略図である。
【図８】本考案のキャスターキットの概略図である。
【図９】本考案のゴミキャッチャーの概略図である。
【図１０】本考案の独立型汚水処理システムの概略図である。
【符号の説明】
【００３０】
１０、トッププレート        
２０、バーナー        
２ｌ、バーナー開口部
２２、防熱装置      
２３、平底鍋用五徳      
３０、当て板リング        
３１、円形蓋
４０、まわり縁      
５０、パーテーション      
５ｌ、左・右パーテーション
５２、後部パーテーション      
５３、延長鋼板      
５４、Ｌ型鋼材    
６０、溝
７ｌ、汚水処理システム      
７２、ゴミキャッチャー      
７３、円形鋼管
８０、平面台      
９０、フレーム
１００、キャスターキット      
１０１、キャスター      
１０２、キャスター軸
１０３、キャスター軸差し込み部      
１０４、ナット      
１０５、輪軸
１１０、持ち手      
１２０、ストッカー      
１２１、ストッカー固定具
１３０、横板      
１３ｌ、押さえ具      
１４０、掛け具
１５０、独立型汚水処理システム      
１５１、内歯継ぎ目      
１５２、外歯継ぎ目
１５３、ボックス体      
１５４、ボックス孔      
１５５、通気孔
１６０、キャスター受け座
２３１、大リング
２３２、小リング      
５２１、留め具        
５２２、止め栓
【図１】
0003163186.tif 000003
【図２】
0003163186.tif 000004
【図３】
0003163186.tif 000005
【図４】
0003163186.tif 000006
【図５】
0003163186.tif 000007
【図６】
0003163186.tif 000008
【図７】
0003163186.tif 000009
【図８】
0003163186.tif 000010
【図９】
0003163186.tif 000011
【図１０】
0003163186.tif 000012
【手続補正書】
【提出日】平成22年7月28日(2010.7.28)
【手続補正１】
【補正対象書類名】実用新案登録請求の範囲
【補正対象項目名】全文
【補正方法】変更
【補正の内容】
【実用新案登録請求の範囲】
【請求項１】
その構造にトッププレート（１０）およびフレーム（９０）が含まれ、トッププレート（１０）上には円形のバーナー開口部（２１）が設けられており、バーナー開口部（２１）の最下部にはバーナー（２０）が取り付けられており、バーナー（２０）上には順に煙突型の防熱装置（２２）と平底鍋用五徳（２３）が設けられており、バーナーの開口部（２１）周りには当て板リング（３０）が溶接されており、当て板リング（３０）の上には円形蓋（３１）が遊嵌されており、トッププレート（１０）の後部および左・右の縁部は外側から内側へ順にまわり縁（４０）が固定連結、パーテーション（５０）が可動連結されており、トッププレート（１０）上のバーナー開口部（２１）の手前側には溝（６０）が１本設けられており、溝（６０）の末端部にはセパレータが設けられており、溝（６０）とトッププレート（１０）の手前側の縁部には平面台（８０）が１つあり、トッププレート（１０）の下部には、フレーム（９０）に嵌合する取り外し可能なキャスター受け座（１６０）が設けられており、トッププレート（１０）の片側には持ち手（１１０）が備えられていることを特徴とする清掃容易な持ち運び式キッチンコンロ。
【請求項２】
前記のバーナー（２０）上に取り付けられた煙突型の防熱装置（２２）は、バーナーの開口部（２１）の口径より小さく、底部はバーナー（２０）と平行に並んでおり、頭頂部の８割は凹凸型に、また残りの２割は密封式に設計されており、頭頂部の高さは当て板リング（３０）と等しいが、凹凸部分の高さは当て板リング（３０）より高く設計されている
ことを特徴とする、請求項１に記載の清掃容易な持ち運び式キッチンコンロ。
【請求項３】
平底鍋用五徳（２３）は２つのリングから成る平面構造で、大リング（２３１）１つと小リング（２３２）１つが連結されていることを特徴とする、請求項１に記載の清掃容易な持ち運び式キッチンコンロ。
【請求項４】
前記当て板リング（３０）の上は円形蓋（３１）が遊嵌されており、円形蓋（３１）はバーナー開口部（２１）と嵌合するようになっていることを特徴とする、請求項１に記載の清掃容易な持ち運び式キッチンコンロ。
【請求項５】
前記パーテーション（５０）は、左・右パーテーション（５１）および後部パーテーション（５２）、Ｌ型鋼材（５４）２つから構成されており、左・右パーテーション（５１）は蝶番で後部パーテーション（５２）の左右両側に連結されており、左・右パーテーション（５１）は内側に折り畳んで、後部パーテーション（５２）に重ね合わせることができ、後部パーテーション（５２）の底部は、蝶番で後部のまわり縁（４０）に固定することができ、後部パーテーション（５２）は手前側に向けて折り畳め、左・右パーテーション（５１）と重ね合わせて、トッププレート（１０）上に載せることができ、後部パーテーション（５２）の両側にはＬ型鋼材（５４）が１個ずつ備えられており、後部パーテーション（５２）とＬ型鋼材（５４）は一体化構造となっているか、あるいは溶接されており、前記の後部パーテーション（５２）には延長鋼板（５３）が可動接合されており、延長鋼板（５３）の左右両側には、後部パーテーション（５２）上に設けられた留め具（５２１）に嵌合する止め栓（５２２）が固設されており、延長鋼板（５３）はさらに留め具（５２１）で後部まわり縁（４０）下部の掛け具（１４０）に掛けることができることを特徴とする、請求項１に記載の清掃容易な持ち運び式キッチンコンロ。
【請求項６】
前記のセパレータは、取り外し式ゴミキャッチャー（７２）と汚水処理システム（７１）に分かれており、取り外し式ゴミキャッチャー（７２）は多数の微小孔を有する箱であり、上部がすべて開放されており、汚水処理システム（７１）は長方形の箱で、溝（６０）の末端部に連結されており、底部には円形の開口部が１つ備えられステンレス製の円形鋼管（７３）に連結されており、円形鋼管（７３）上には水道管に螺合できるねじ山が備えられ、溝（６０）と汚水処理システム（７１）が一体化しており、前記溝（６０）はトッププレート（１０）より低くなっていることを特徴とする、請求項１に記載の清掃容易な持ち運び式キッチンコンロ。
【請求項７】
前記平面台（８０）はトッププレート（１０）の長さに等しく、トッププレート（１０）より高くなっていることを特徴とする、請求項１に記載の清掃容易な持ち運び式キッチンコンロ。
【請求項８】
前記トッププレート（１０）下部には、フレーム（９０）に取り外し可能に取り付けられたストッカー（１２０）があり、中央部には横板（１３０）が設けられており、横板（１３０）の上には清掃容易なキッチンコンロ全体を折り畳んだ後にストッカー（１２０）を押さえる押さえ具（１３１）が固設されており、押さえ具（１３１）の反対側には、清掃容易なキッチンコンロ全体を折り畳んだ後にストッカー（１２０）を横板（１３０）上に固定させるストッカー固定具（１２１）が設けられており、トッププレート（１０）下部には、取り外した後のフレーム（９０）を固定するフレーム固定具が設けられていることを特徴とする、請求項１に記載の清掃容易な持ち運び式キッチンコンロ。
【請求項９】
清掃容易なキッチンコンロ全体を折り畳んだ後は、前記の持ち手（１１０）の反対側にあるキャスター受け座（１６０）にキャスターキット（１００）を差し込むことができ、キャスターキット（１００）には、キャスター（１０１）およびキャスター軸（１０２）が含まれ、キャスター（１０１）上には輪軸（１０５）が設けられており、輪軸（１０５）はキャスター軸（１０２）の一端の軸孔に差し込まれナット（１０４）で固定されており、キャスター軸（１０２）の反対側の一端には、キャスター受け座（１６０）と嵌合するキャスター軸差し込み部（１０３）が設けられていることを特徴とする、請求項１に記載の清掃容易な持ち運び式キッチンコンロ。
【請求項１０】
前記の汚水処理システム（７１）内に流れ込む汚水は、独立型汚水処理システム（１５０）内に流れ込んだ後に処理され、独立型汚水処理システム（１５０）には、上方に開口部を備えたボックス体（１５３）が含まれ、ボックス体（１５３）の壁には、内歯と外歯の継ぎ目（１５１、１５２）に整合する大きさのボックス孔（１５４）が設けられており、水道管をつなぐ内歯継ぎ目（１５１）と外歯継ぎ目（１５２）がボックス孔（１５４）の個所でかみ合うようになっており、ボックス内の水道管はボックス底まで一定の距離があり、ボックス外の水道管の頭頂部には通気孔（１５５）が設けられていることを特徴とする、請求項６に記載の清掃容易な持ち運び式キッチンコンロ。